(57)【特許請求の範囲】
【請求項１】
報知部と、
印刷ジョブを受信する受信部と、
前記受信部により受信された前記印刷ジョブに従って印刷を実行する印刷実行部と、
前記印刷ジョブ当たりの印刷枚数の制限を示す枚数制限情報が記録された記録部と、
前記受信部により受信された前記印刷ジョブが示す印刷枚数が、前記記録部に記録された前記枚数制限情報が示す印刷制限枚数を超えているか否かを判定する判定部と、
前記判定部により前記枚数制限情報が示す印刷制限枚数を超えていると判定された場合、当該印刷制限枚数を超えていることを前記報知部により報知させる制御部と、
を備え、
前記報知部は、表示部を含み、
前記制御部は、
前記判定部が判定をする前に、前記印刷実行部が印刷実行可能になった場合、前記印刷実行部に印刷を開始させ、前記印刷実行部が印刷した枚数が、前記記録部に記録された前記枚数制限情報が示す印刷制限枚数に達する前に、前記判定部が、前記印刷ジョブが示す印刷枚数が前記印刷制限枚数を超えると判定した時点で、前記印刷実行部に印刷を停止させて、残りの印刷を行うか否かを表示部に表示させ、ユーザから印刷を行う旨の指示を受けると、残りの枚数の印刷を前記印刷実行部に実行させ、ユーザから印刷を行わない旨の指示を受けると、残りの枚数の印刷を前記印刷実行部に実行させない、
プリンタ。
【請求項２】
前記制御部は、
前記判定部により前記枚数制限情報が示す印刷制限枚数を超えていると判定された場合、当該印刷制限枚数を超えていることを前記表示部に表示させる、
請求項１に記載のプリンタ。
【請求項３】
前記制御部は、
前記判定部により前記枚数制限情報が示す印刷制限枚数を超えていると判定された場合、当該印刷制限枚数を超えて印刷を行うか否かを前記表示部に表示させる、
請求項２に記載のプリンタ。
【請求項４】
前記記録部に記録された枚数制限情報は、印刷ジョブの送信機能毎に設定される
請求項１から３のいずれか１項に記載のプリンタ。
【請求項５】
前記記録部に記録された前記枚数制限情報を更新する更新部をさらに備えている、
請求項１から４のいずれか１項に記載のプリンタ。
【請求項６】
通信端末と、
前記通信端末と通信可能な請求項１から５のいずれか１項に記載のプリンタと、
を備えたプリントシステム。
【発明の詳細な説明】
【技術分野】
【０００１】
本発明は、プリンタ及び当該プリンタを含むプリントシステムに関する。
【背景技術】
【０００２】
パーソナルコンピュータ（ＰＣ）やスマートフォン等から印刷データや印刷枚数情報を含む印刷ジョブを送信して、印刷ジョブの受信機能を有するプリンタに出力することができる。
この種のプリンタとして、印刷に必要な用紙の枚数や印刷に必要な時間をプリンタ単体で表示することができるプリンタが知られている（例えば、特許文献１参照）。
【０００３】
特許文献１に記載されたプリンタは、印刷対象の電子データを記憶する記憶部と、記憶部から順に呼び出す印刷対象の電子データに基づいて印刷部に印刷させる制御部と、印刷対象の電子データのうち印刷されていない電子データを印刷するのに必要な用紙の枚数を表示する表示部とを備える。
【先行技術文献】
【特許文献】
【０００４】
【特許文献１】特開２０００−１１８１０４号公報
【発明の概要】
【発明が解決しようとする課題】
【０００５】
ところが、上記したプリンタは、例えばプリンタの使用者（保有者）が意図しない印刷ジョブを受信し、多量の枚数の印刷指示を受けた場合に、多量の枚数の印刷を行うか否かの選択を行うことができず、意図しない多量の枚数の印刷をせざるを得ないという不利益があった。
【０００６】
従って、意図する枚数の印刷を行うことができるプリンタ及びプリントシステムが提供されることが望まれる。
【課題を解決するための手段】
【０００７】
本発明の一態様に係るプリンタは、報知部と、印刷ジョブを受信する受信部と、前記受信部により受信された前記印刷ジョブに従って印刷を実行する印刷実行部と、前記印刷ジョブ当たりの印刷枚数の制限を示す枚数制限情報が記録された記録部と、前記受信部により受信された前記印刷ジョブが示す印刷枚数が、前記記録部に記録された前記枚数制限情報が示す印刷制限枚数を超えているか否かを判定する判定部と、前記判定部により前記枚数制限情報が示す印刷制限枚数を超えていると判定された場合、当該印刷制限枚数を超えていることを前記報知部により報知させる制御部と、を備える。
【０００８】
本発明の一態様に係るプリントシステムは、通信端末と、前記通信端末と通信可能な上記のプリンタと、を備えている。
【発明の効果】
【０００９】
上記の構成によれば、意図する枚数の印刷を行うことができる。
【図面の簡単な説明】
【００１０】
【図１】本発明の実施形態に係る印刷ジョブのプリントシステムの基本的な構成を示す図である。
【図２】本実施形態に係るプリンタの要部の構成例を示すブロック図である。
【図３】報知部としての表示部の表示画面に、「印刷制限枚数を超えています」、「印刷制限枚数を超えて印刷を行いますか」、「残りの枚数の印刷を行いますか」とのメッセージを表示させる例を示す図である。
【図４】本実施形態に係るプリンタの第１印刷モード時の動作を説明するためのフローチャートである。
【図５】本実施形態に係るプリンタの第２印刷モード時の動作を説明するためのフローチャートである。
【図６】本実施形態に係るプリンタの第３印刷モード時の動作を説明するためのフローチャートである。
【発明を実施するための形態】
【００１１】
以下、本発明の実施形態を図面に関連付けて説明する。
【００１２】
図１は、本発明の実施形態に係る印刷ジョブのプリントシステムの基本的な構成を示す図である。
【００１３】
図１の印刷ジョブプリントシステム１は、ネットワーク３、ネットワーク３に印刷ジョブ（ＦＡＸ情報等を含む）を送信する機能を有する通信端末（送信側装置）５、ネットワーク３で中継された印刷ジョブを受信する受信装置としてのプリンタ９を含んで構成されている。
また、ネットワーク３には、送信された情報を一旦蓄積して後で宛先のＦＡＸ機能を備えた受信装置（プリンタ９）に送信する蓄積交換装置や、例えばインターネット接続に対応したサーバ等の管理装置７が接続される。
【００１４】
ネットワーク３としては、本実施形態では特に限定されず、公衆交換電話網や、ＩＰ電話、ＬＡＮ（Local Area Network）、インターネット、イーサネット（富士ゼロックス株式会社の登録商標）などの電話交換機を介さないＩＰ通信網であっても良いし、広義にはパーソナルコンピュータ（ＰＣ）に直接接続されるＵＳＢ（Universal Serial Bus）ケーブルであっても良い。ネットワーク３の一部または全部は有線であっても良いし、無線であっても良い。
【００１５】
本実施形態において、プリンタ９が受信する印刷ジョブの印刷対象情報にはＦＡＸ情報が含まれても良いものとする。
プリンタ９に対して印刷ジョブを送信する送信機能としては、インターネット対応のメールプリント機能、電話回線対応のＦＡＸ，ネットワークで共有設定されるネットワークプリンタ、スマートフォンからの直接印刷を実現する無線ＬＡＮ対応のＷｉｆｉダイレクト、パーソナルコンピュータ（ＰＣ）に直接接続されるＵＳＢ等を例示することができる。
【００１６】
メールプリント機能は、パーソナルコンピュータ（ＰＣ）、携帯電話機、スマートフォンなど、メールが送信できる通信端末５からメールアドレスを持つプリンタ９へ電子メールを送信するだけで、本文や添付ファイルが印刷できる機能である。メールプリント機能には特別なアプリケーションを必要としない。
メールプリントシステムでは、電子メールを受信し、受信した情報に基づく印刷を、ネットワーク３を介してプリンタ９に指示する管理装置７であるプリントサーバが配置される。
【００１７】
また、通常のＦＡＸ情報の送受信を行う場合、送信側装置である通信端末５側で送信すべき情報（原稿等）を読み取り、データ圧縮や変調等の信号処理を施し、入力して特定した宛先（電話番号等）にネットワーク３で中継し、受信側のプリンタ９で信号を復調し原稿を復元して印刷する。
【００１８】
また、通信端末（送信側装置）５は、例えば、インターネットを通してＦＡＸ情報を送信（例えばＦＡＸ情報を電子メールに添付して送信）するインターネットＦＡＸ端末としての機能を有するように構成可能である。
また、通信端末（送信側装置）５は、印刷ジョブの送信機能だけでなく受信機能を持つ通信端末として構成可能であり、また、プリンタ９は印刷ジョブの受信機能だけでなく所定の情報の送信機能を持つように構成可能である。
【００１９】
本実施形態におけるプリンタ９の特徴的な構成は、基本的に、印刷ジョブ当たりに印刷制限枚数ＰＲＣを設け、受信した印刷ジョブが示す印刷枚数ＮＢＰＪが、設定されている印刷制限枚数ＰＲＣを超えているか否かを判定する。そして、印刷枚数ＮＢＰＪが印刷制限枚数ＰＲＣを超えている場合に、この印刷枚数ＮＢＰＪが印刷制限枚数ＰＲＣを超えていること、さらには印刷制限枚数ＰＲＣを超えて印刷を行うか否かを表示部等を介して報知し、ユーザの指示に従い印刷を実行するかしないかを制御することにある。
この基本構成は、印刷データを受信した後に印刷を開始する場合である。この場合、例えば後で詳述する第１印刷モードまたは第２印刷モード下で動作する。
【００２０】
また、印刷データを受信しながらの印刷実行の制御は、第３印刷モード下において、次のように行われる。
この場合、プリンタ９は、印刷を開始し、実際に印刷した枚数が、印刷制限枚数ＰＲＣに達する前に、印刷ジョブが示す印刷枚数ＮＢＰＪが印刷制限枚数ＰＲＣを超えると判定した時点で、印刷を停止して、残りの印刷を行うか否かを表示部等を介して報知し、ユーザから印刷を行う旨の指示を受けると、残りの枚数の印刷を実行し、ユーザから印刷を行わない旨の指示を受けると、残りの枚数の印刷を実行しない。
【００２１】
プリンタ９は、以上の印刷制限枚数ＰＲＣに関連した制御を行うことにより、例えばプリンタの使用者（保有者）が意図しない印刷ジョブを受信し、意図しない多量の枚数の印刷指示を受けた場合に、多量の枚数の印刷を行うか否かの選択を行うことができ、意図しない多量の枚数の印刷を回避することができ、ひいては意図する枚数の印刷を行うことができるという利点を有する。
【００２２】
なお、意図しない場合の例としては、例えば、自分のパーソナルコンピュータ（ＰＣ）から誤って多量の枚数の印刷指示をしてしまった場合、他人から自分のプリンタへ多量の枚数のＦＡＸ送信された場合、メールプリント機能により他人の通信端末から自分のプリンタへ多量の枚数の印刷指示がされた場合等が挙げられる。
【００２３】
以下、本実施形態に係るプリンタ９の具体的な構成及び印刷制限枚数に関連した制御処理について説明する。
【００２４】
図２は、本実施形態に係るプリンタ９の要部の構成例を示すブロック図である。
【００２５】
図２のプリンタ９は、受信部９０１、印刷実行部９０２、記録部９０３、判定部９０４、制御部９０５、報知部９０６、更新部９０７、印刷枚数係数部９０８、及び操作部９０９を含んで構成されている。
【００２６】
受信部９０１は、所定の送信機能により送信され、ネットワーク３を中継された印刷ジョブを受信する。受信部９０１は、受信した印刷ジョブを復元し、印刷枚数に関する情報等を含む印刷ジョブを、例えば判定部９０４、制御部９０５、印刷実行部９０２に供給する。例えば判定部９０４、制御部９０５、印刷実行部９０２は、供給された印刷ジョブをメモリ等の記憶部（Ｍ）に記憶する。
【００２７】
印刷実行部９０２は、受信部９０１により受信された印刷ジョブに従って印刷を実行する。
印刷実行部９０２は、例えば、一般的なプリンタにおいて構築されているものと同様でよい。印刷実行部９０２は、例えば、印刷情報（印刷データ）に基づいて、プリントヘッドのアクチュエータ及び紙送り機構のアクチュエータに対して適宜なタイミング及び適宜な大きさで電圧を印加する。
【００２８】
記録部９０３は、あらかじめ設定された、印刷ジョブ当たりの印刷枚数の制限である印刷制限枚数ＰＲＣを示す枚数制限情報が記録されている。このように、記録部９０３は、印刷ジョブ当たりの印刷制限枚数（例えば、印刷制限枚数ＰＲＣ：１０枚、１５０枚等）が記録されている。
【００２９】
本実施形態においては、記録部９０３に記録された枚数制限情報である印刷制限枚数ＰＲＣは、例えば、下記のように、印刷ジョブの送信機能毎に設定される。
例えば、
メールプリント機能（インターネット）：印刷制限枚数（ＰＲＣ）１０枚、
ＦＡＸ：印刷制限枚数（ＰＲＣ）１５０枚、
ネットワークプリンタ：印刷制限枚数（ＰＲＣ）２００枚、
Ｗｉｆｉダイレクト：印刷制限枚数（ＲＰＣ）１５枚
【００３０】
すなわち、送信機能がメールプリント機能の場合、印刷制限枚数ＰＲＣは１０枚に設定される。送信機能がＦＡＸの場合、印刷制限枚数ＰＲＣは１５０枚に設定される。送信機能がネットワークプリンタの場合、印刷制限枚数ＰＲＣは２００枚に設定される。送信機能がＷｉｆｉダイレクトの場合、印刷制限枚数ＰＲＣは１５枚に設定される。
印刷ジョブが送信される送信機能の種別は、印刷ジョブを受信する際に使用するハードウェアや通信規格により判定できる。また、通信を確立する際に、相互に相手の機器に関する情報を送受し合う場合は、その情報によっても判定できる。
例えば、印刷ジョブが送信される送信機能の種別は、受信に用いるハードウェアの規格により判定できる。また、受信に用いられる通信プロトコルで判定してもよい。さらに、受信する印刷ジョブのデータ形式で判定してもよい。さらに、印刷ジョブに含まれる通信端末の情報で判定してもよい。
具体的には、プリンタ９が、受信に使用するハードウェアとして、異なる通信規格に対応したものや、異なる周波数帯に対応したものなどを複数備えている場合、それらのうちどのハードウェアを用いて受信したかで判定できる。これと同様に、プリンタ９が複数の通信プロトコルを用いて受信できる場合、それらのうちどの通信プロトコルを用いて受信したかで判定できる。また、通信プロトコルで通信を確立する際に利用する通信対象に関する情報を使用して判定してもよい。印刷ジョブに含まれる印刷されるデータは、そのデータを作成したソフトウェアにより異なる形式である場合があるため、データの形式で判定ができる。また、印刷ジョブの中に、印刷ジョブを生成したソフトウェアの名前やバージョン情報が含まれていれば、それらによっても判定できる。
以上のいずれか、あるいは２以上を組み合わせて、送信機能が、メールプリント機能、ＦＡＸ、ネットワークプリンタ、およびＷｉｆｉダイレクトのいずれであるかを判定できる。
【００３１】
記録部９０３は、例えば電源を切っても情報が保持されるように、フラッシュメモリ等の不揮発性記憶装置により構成される。
なお、記録部９０３の記録情報は、例えばキー入力部やタッチパネル等により構成される操作部９０９の操作指示に従って、更新部９０７により適宜更新可能である。
また、更新はプリンタ９の表示部で操作することで行ってもよいし、無線通信を介してスマートフォン等の通信端末で行ってもよいし、インターネットを介してパーソナルコンピュータ（ＰＣ）から行ってもよい。
【００３２】
判定部９０４は、受信した印刷ジョブが示す印刷枚数ＮＢＰＪを把握し、受信部９０１により受信された印刷ジョブが示す印刷枚数ＮＢＰＪが、記録部９０３に記録された枚数制限情報が示す印刷制限枚数ＰＲＣを超えているか否かを判定する。
判定部９０４は、この判定結果を制御部９０５に供給する。
【００３３】
制御部９０５は、判定部９０４により印刷ジョブが示す印刷枚数ＮＢＰＪが、枚数制限情報が示す印刷制限枚数ＰＲＣを超えていると判定された場合、印刷制限枚数ＰＲＣを超えていることを報知部９０６により報知させる。
報知部９０６は、特に限定されないが、例えば、メッセージ等を表示して報知する液晶表示装置、有機ＥＬ表示装置等の表示部、点滅等させて報知するＬＥＤ等の表示器、音声合成による音声出力部等のいずれか、あるいはこれらを組み合わせて構成可能である。
【００３４】
制御部９０５は、例えば報知部９０６が表示部９０６Ａにより構成されている場合、判定部９０４により印刷ジョブが示す印刷枚数ＮＢＰＪが、枚数制限情報が示す印刷制限枚数ＰＲＣを超えていると判定されると、印刷制限枚数ＰＲＣを超えていることを表示部９０６Ａに表示させる。
この場合、制御部９０５は、図３（ａ）に示すように、液晶表示装置等の表示部９０６Ａの表示画面に、例えば「印刷制限枚数を超えています」とのメッセージを表示させ、印刷制限枚数ＰＲＣを超えていることを報知させる。
【００３５】
さらに、制御部９０５は、判定部９０４により印刷ジョブが示す印刷枚数ＮＢＰＪが、枚数制限情報が示す印刷制限枚数ＰＲＣを超えていると判定されると、印刷制限枚数ＰＲＣを超えて印刷を行うか否かを表示部９０６Ａに表示させる。
この場合、制御部９０５は、図３（ｂ）に示すように、液晶表示装置等の表示部９０６Ａの表示画面に、例えば「印刷制限枚数を超えて印刷を行いますか」とのメッセージを表示させ、印刷制限枚数ＰＲＣを超えての印刷の可否をユーザに問い合わせる。
【００３６】
印刷制限枚数ＰＲＣを超えての印刷の可否は、例えばユーザの操作部９０９の操作指示に従って決定される。
【００３７】
制御部９０５は、受信した印刷ジョブが示す印刷枚数ＮＢＰＪが、記録部９０３に記録された枚数制限情報が示す印刷制限枚数ＰＲＣを超えている場合、以下に示す第１印刷モードまたは第２印刷モードの制御を行うように構成（設定）可能である。
【００３８】
制御部９０５は、第１印刷モードの場合、印刷制限枚数ＰＲＣの印刷を印刷実行部９０２に実行させた後、残りの枚数の印刷を行うか否かを表示部９０６Ａに表示させる。
この場合、制御部９０５は、図３（ｃ）に示すように、液晶表示装置等の表示部９０６Ａの表示画面に、「残りの枚数の印刷を行いますか」とのメッセージを表示させ、印刷制限枚数ＰＲＣを超えての印刷の可否をユーザに問い合わせる。
そして、制御部９０５は、ユーザから印刷を行う旨の指示を受けると、残りの枚数の印刷を印刷実行部９０２に実行させる。
制御部９０５は、ユーザから印刷を行わない旨の指示を受けると、残りの枚数の印刷を印刷実行部９０２に実行させない。この場合、残りの印刷ジョブは削除する。
【００３９】
より具体的には、制御部９０５は、第１印刷モードにおいて、例えば、印刷制限枚数ＰＲＣが１５０枚であり、印刷ジョブが２００枚であった場合、先ず１５０枚の印刷を行った後に、残り５０枚の印刷を行うか否かを表示部に表示させ、ユーザがＯＫの指示を出した場合に、残り５０枚の印刷を実行する。ユーザがＮＯの指示を出した場合、残り５０枚の印刷は実行しない。
制御部９０５は、ユーザがＮＯの指示を出した場合、残り５０枚の印刷ジョブは削除する。
【００４０】
制御部９０５は、第２印刷モードの場合、印刷ジョブが示す枚数の印刷を行うか否かを表示部９０６Ａに表示させる。
そして、制御部９０５は、ユーザから印刷を行う旨の指示を受けると、印刷ジョブが示す枚数ＮＢＰＪの印刷を印刷実行部９０２に実行させる。
制御部９０５は、ユーザから印刷を行わない旨の指示を受けると、印刷ジョブが示す枚数ＮＢＰＪの印刷を印刷実行部９０２に実行させない。この場合、印刷ジョブは削除する。
【００４１】
より具体的には、制御部９０５は、第２印刷モードにおいて、例えば、印刷制限枚数ＰＲＣが１５０枚であり、印刷ジョブが２００枚であった場合、印刷を行う前に、２００枚の印刷を行うか否かを表示部に表示させ、ユーザがＯＫの指示を出した場合に、２００枚の印刷を実行する。ユーザがＮＯの指示を出した場合、２００枚の印刷は実行しない。
制御部９０５は、ユーザがＮＯの指示を出した場合、印刷ジョブを削除する。
【００４２】
制御部９０５は、印刷データを受信しながらの印刷実行の制御を、第３印刷モード下において、次のように行う。
制御部９０５は、判定部９０４が印刷ジョブが示す印刷枚数ＮＢＰＪが印刷制限枚数ＰＲＣを超えるか否かを判定する前に、印刷実行部９０２が印刷実行可能になった場合、印刷実行部９０２に印刷を開始させる。
制御部９０５は、印刷枚数係数部９０８が計数した印刷実行部９０２が印刷した枚数ＮＢＰが、印刷制限枚数ＰＲＣに達する前に、判定部９０４が、印刷ジョブが示す印刷枚数ＮＢＰＪが印刷制限枚数ＰＲＣを超えると判定した時点で、印刷実行部９０２に印刷を停止させる。
そして、制御部９０５は、残りの印刷を行うか否かを表示部９０６Ａに表示させ、ユーザから印刷を行う旨の指示を受けると、残りの枚数の印刷を印刷実行部９０２に実行させる。
制御部９０５は、ユーザから印刷を行わない旨の指示を受けると、残りの枚数の印刷を印刷実行部９０２に実行させない。
【００４３】
なお、第１印刷モードで動作するか、第２印刷モードで動作するか、第３印刷モードで動作するかは、例えば操作部９０９の操作指示に従って設定される。あるいは、無線通信を介してスマートフォン等の通信端末で行っても良いし、インターネットを介してパーソナルコンピュータ（ＰＣ）から行っても良い。
【００４４】
操作部９０９は、例えば、複数の物理的なキーを有するものであっても良いし、タッチパネルのように表示部のＧＵＩ（Graphical User Interface）と組み合わされたものであってもよい
【００４５】
次に、図２の構成を有するプリンタ９の動作を説明する。
以下では、第１印刷モード、第２印刷モード、及び第３印刷モードの３つの動作例について説明する。
【００４６】
（第１印刷モードの動作）
まず、第１印刷モードの動作について図４に関連付けて説明する。
図４は、本実施形態に係るプリンタの第１印刷モード時の動作を説明するためのフローチャートである。
【００４７】
まず、プリンタ９は、ネットワーク３で中継された印刷ジョブを、受信部９０１により受信する（ステップＳＴ１）。
受信部９０１は、印刷枚数に関する情報等を含む印刷ジョブを、例えば判定部９０４、制御部９０５、印刷実行部９０２に供給する。例えば判定部９０４、制御部９０５、印刷実行部９０２は、供給された印刷ジョブをメモリ等の記憶部に記憶する。
【００４８】
判定部９０４は、受信した印刷ジョブが示す印刷枚数ＮＢＰＪを把握する（ステップＳＴ２）。
そして、判定部９０４が、受信部９０１により受信された印刷ジョブが示す印刷枚数ＮＢＰＪが、記録部９０３に記録された枚数制限情報が示す印刷制限枚数ＰＲＣを超えているか否かを判定する（ステップＳＴ３）。
判定部９０４は、この判定結果を制御部９０５に供給する。
【００４９】
制御部９０５は、判定部９０４により印刷ジョブが示す印刷枚数ＮＢＰＪが、枚数制限情報が示す印刷制限枚数ＰＲＣを超えていると判定された場合、印刷制限枚数ＰＲＣを超えていることを表示部９０６Ａに表示させる（ステップＳＴ４）。
この場合、制御部９０５は、図３（ａ）に示すように、液晶表示装置等の表示部９０６Ａの表示画面に、例えば「印刷制限枚数を超えています」とのメッセージを表示させ、印刷制限枚数ＰＲＣを超えていることを報知させる。
【００５０】
そして、制御部９０５は、印刷制限枚数ＰＲＣの印刷を印刷実行部９０２に実行させる（ステップＳＴ５）。その後、制御部９０５は、印刷制限枚数ＰＲＣの印刷が終了すると（ステップＳＴ６）、残りの枚数の印刷を行うか否かを表示部９０６Ａに表示させる（ステップＳＴ７）。
この場合、制御部９０５は、図３（ｃ）に示すように、液晶表示装置等の表示部９０６Ａの表示画面に、「残りの枚数の印刷を行いますか」とのメッセージを表示させ、印刷制限枚数ＰＲＣを超えての印刷の可否をユーザに問い合わせる。
【００５１】
そして、制御部９０５は、ユーザから印刷を行う旨の指示を受けると（ステップＳＴ８）、残りの枚数の印刷を印刷実行部９０２に実行させる（ステップＳＴ９）。
一方、制御部９０５は、ステップＳＴ８においてユーザから印刷を行わない旨の指示を受けると、残りの枚数の印刷を印刷実行部９０２に実行させない（ステップＳＴ１０）。この場合、残りの印刷ジョブは削除する。
【００５２】
（第２印刷モードの動作）
次に、第２印刷モードの動作について図５に関連付けて説明する。
図５は、本実施形態に係るプリンタの第２印刷モード時の動作を説明するためのフローチャートである。
【００５３】
まず、プリンタ９は、ネットワーク３で中継された印刷ジョブを、受信部９０１により受信する（ステップＳＴ１１）。
受信部９０１は、印刷枚数に関する情報等を含む印刷ジョブを、例えば判定部９０４、制御部９０５、印刷実行部９０２に供給する。例えば判定部９０４、制御部９０５、印刷実行部９０２は、供給された印刷ジョブをメモリ等の記憶部に記憶する。
【００５４】
判定部９０４は、受信した印刷ジョブが示す印刷枚数ＮＢＰＪを把握する（ステップＳＴ１２）。
そして、判定部９０４が、受信部９０１により受信された印刷ジョブが示す印刷枚数ＮＢＰＪが、記録部９０３に記録された枚数制限情報が示す印刷制限枚数ＰＲＣを超えているか否かを判定する（ステップＳＴ１３）。
判定部９０４は、この判定結果を制御部９０５に供給する。
【００５５】
制御部９０５は、判定部９０４により印刷ジョブが示す印刷枚数ＮＢＰＪが、枚数制限情報が示す印刷制限枚数ＰＲＣを超えていると判定された場合、印刷制限枚数ＰＲＣを超えていることを表示部９０６Ａに表示させる（ステップＳＴ１４）。
この場合、制御部９０５は、図３（ａ）に示すように、液晶表示装置等の表示部９０６Ａの表示画面に、例えば「印刷制限枚数を超えています」とのメッセージを表示させ、印刷制限枚数ＰＲＣを超えていることを報知させる。
【００５６】
さらに、制御部９０５は、判定部９０４により印刷ジョブが示す印刷枚数ＮＢＰＪが、枚数制限情報が示す印刷制限枚数ＰＲＣを超えていると判定されると、印刷制限枚数ＰＲＣを超えて印刷を行うか否かを表示部９０６Ａに表示させる（ステップＳＴ１５）。
この場合、制御部９０５は、図３（ｂ）に示すように、液晶表示装置等の表示部９０６Ａの表示画面に、例えば「印刷制限枚数を超えて印刷を行いますか」とのメッセージを表示させ、印刷制限枚数ＰＲＣを超えての印刷の可否をユーザに問い合わせる。
【００５７】
そして、制御部９０５は、ユーザから印刷を行う旨の指示を受けると（ステップＳＴ１６）、印刷ジョブが示す枚数ＮＢＰＪの印刷を印刷実行部９０２に実行させる（ステップＳＴ１７）。
一方、制御部９０５は、ステップＳＴ１６においてユーザから印刷を行わない旨の指示を受けると、印刷ジョブが示す枚数ＮＢＰＪの印刷を印刷実行部９０２に実行させない（ステップＳＴ１８）。この場合、印刷ジョブは削除する。
【００５８】
（第３印刷モードの動作）
次に、第３印刷モードの動作について図６に関連付けて説明する。
図６は、本実施形態に係るプリンタの第３印刷モード時の動作を説明するためのフローチャートである。
【００５９】
まず、プリンタ９は、ネットワーク３で中継された印刷ジョブを、受信部９０１により受信する（ステップＳＴ２１）。
受信部９０１は、印刷枚数に関する情報等を含む印刷ジョブを、例えば判定部９０４、制御部９０５、印刷実行部９０２に供給する。例えば判定部９０４、制御部９０５、印刷実行部９０２は、供給された印刷ジョブをメモリ等の記憶部に記憶する。
【００６０】
ここで、判定部９０４は、受信した印刷ジョブが示す印刷枚数ＮＢＰＪを把握していても良い（ステップＳＴ２２）。
【００６１】
そして、制御部９０５は、判定部９０４が印刷ジョブが示す印刷枚数が印刷制限枚数を超えるか否かを判定する前に（ステップＳＴ２３）、印刷実行部９０２が印刷可能であるか否かを判定する（ステップＳＴ２４）。
制御部９０５は、ステップＳＴ２４において印刷実行部９０２が印刷実行可能になった場合、印刷実行部９０２に印刷を開始させる（ステップＳＴ２５）。
【００６２】
制御部９０５は、印刷枚数係数部９０８が計数した印刷実行部９０２が印刷した枚数ＮＢＰが、印刷制限枚数ＰＲＣに達する前に（ステップＳＴ２６）、判定部９０４が、印刷ジョブが示す印刷枚数ＮＢＰＪが印刷制限枚数ＰＲＣを超えるか否かを判定し（ステップＳＴ２７）、印刷ジョブが示す印刷枚数ＮＢＰＪが印刷制限枚数ＰＲＣを超えると判定した時点で、印刷実行部９０２に印刷を停止させる（ステップＳＴ２８）。
【００６３】
制御部９０５は、判定部９０４により印刷ジョブが示す印刷枚数ＮＢＰＪが、枚数制限情報が示す印刷制限枚数ＰＲＣを超えていると判定された場合（ステップＳＴ２７）、印刷停止後（ステップＳＴ２８）、印刷制限枚数ＰＲＣを超えていることを表示部９０６Ａに表示させる（ステップＳＴ２９）。
この場合、制御部９０５は、図３（ａ）に示すように、液晶表示装置等の表示部９０６Ａの表示画面に、例えば「印刷制限枚数を超えています」とのメッセージを表示させ、印刷制限枚数ＰＲＣを超えていることを報知させる。
【００６４】
さらに、制御部９０５は、残りの枚数の印刷を行うか否かを表示部９０６Ａに表示させる（ステップＳＴ３０）。
この場合、制御部９０５は、図３（ｃ）に示すように、液晶表示装置等の表示部９０６Ａの表示画面に、「残りの枚数の印刷を行いますか」とのメッセージを表示させ、印刷制限枚数ＰＲＣを超えての印刷の可否をユーザに問い合わせる。
【００６５】
そして、制御部９０５は、ユーザから印刷を行う旨の指示を受けると（ステップＳＴ３１）、残りの枚数の印刷を印刷実行部９０２に実行させる（ステップＳＴ３２）。
一方、制御部９０５は、ステップＳＴ３１においてユーザから印刷を行わない旨の指示を受けると、残りの枚数の印刷を印刷実行部９０２に実行させない（ステップＳＴ３２）。この場合、残りの印刷ジョブは削除する。
【００６６】
以上説明したように、本実施形態によれば、プリンタ９は、報知部９０６と、印刷ジョブを受信する受信部９０１と、受信部９０１により受信された印刷ジョブに従って印刷を実行する印刷実行部９０２と、印刷ジョブ当たりの印刷枚数の制限を示す枚数制限情報が記録された記録部９０３と、受信部９０１により受信された印刷ジョブが示す印刷枚数ＮＢＰＪが、記録部９０３に記録された枚数制限情報が示す印刷制限枚数ＰＲＣを超えているか否かを判定する判定部９０４と、判定部９０４により枚数制限情報が示す印刷制限枚数ＰＲＣを超えていると判定された場合、印刷制限枚数ＰＲＣを超えていることを報知部９０６により報知させる制御部９０５と、を備える。
【００６７】
従って、本実施形態によれば、プリンタ９は、以上の印刷制限枚数に関連した制御を行うことにより、例えばプリンタの使用者（保有者）が意図しない印刷ジョブを受信し、多量の枚数の印刷指示を受けた場合に、意図しない多量の枚数の印刷を行うか否かの選択を行うことができ、意図しない多量の枚数の印刷を回避することができ、ひいては意図する枚数の印刷を行うことができるという利点を有する。
【００６８】
また、本実施形態によれば、報知部９０６は、表示部９０６Ａを含み、制御部９０５は，判定部９０４により枚数制限情報が示す印刷制限枚数ＰＲＣを超えていると判定された場合、印刷制限枚数ＰＲＣを超えていることを表示部９０６Ａに表示させる。
また、制御部９０５は、判定部９０４により枚数制限情報が示す印刷制限枚数ＰＲＣを超えていると判定された場合、印刷制限枚数ＰＲＣを超えて印刷を行うか否かを表示部９０６Ａに表示させる。
これにより、ユーザは印刷ジョブが示す印刷枚数ＮＢＰＪが印刷制限枚数ＰＲＣが超えているか否かを容易に視認して把握することができ、また印刷制限枚数ＰＲＣを超えて印刷を行うか否かを即応的に容易に決定することができ、現在の状況を確実に把握することができ、ひいてはユーザの利便性を高めることが可能となる。
【００６９】
また、本実施形態によれば、制御部９０５は、印刷ジョブが示す印刷枚数ＮＢＰＪが、記録部９０３に記録された枚数制限情報が示す印刷制限枚数ＰＲＣを超えている場合、印刷制限枚数ＰＲＣの印刷を印刷実行部９０２に実行させた後、残りの枚数の印刷を行うか否かを表示部に表示させ、ユーザから印刷を行う旨の指示を受けると、残りの枚数の印刷を印刷実行部９０２に実行させ、ユーザから印刷を行わない旨の指示を受けると、残りの枚数の印刷を印刷実行９０２部に実行させない。
これにより、印刷制限枚数ＰＲＣを超える枚数の印刷はユーザの意図に従ってその実行を決定することができ、意図しない多量の枚数の印刷を行うか否かの選択を行うことができ、意図しない多量の枚数の印刷を回避することができ、ひいては意図する枚数の印刷を行うことができる。
【００７０】
また、本実施形態によれば、制御部９０５は、印刷ジョブが示す印刷枚数ＮＢＰＪが、記録部９０３に記録された枚数制限情報が示す印刷制限枚数ＰＲＣを超えている場合、印刷ジョブが示す枚数の印刷を行うか否かを表示部に表示させ、ユーザから印刷を行う旨の指示を受けると、印刷ジョブが示す枚数の印刷を印刷実行部９０２に実行させ、ユーザから印刷を行わない旨の指示を受けると、印刷ジョブが示す枚数の印刷を印刷実行部９０２に実行させない。
これにより、印刷制限枚数ＰＲＣを超える印刷ジョブが示す枚数の印刷はユーザの意図に従ってその実行を決定することができ、意図しない多量の枚数の印刷を行うか否かの選択を行うことができ、意図しない多量の枚数の印刷を回避することができ、ひいては意図する枚数の印刷を行うことができる。
【００７１】
また、本実施形態によれば、印刷データを受信しながらの印刷実行においては、制御部９０５は、判定部９０４が判定をする前に、印刷実行部９０２が印刷実行可能になった場合、印刷実行部９０２に印刷を開始させ、印刷実行部９０２が印刷した枚数が、印刷制限枚数ＰＲＣに達する前に、判定部９０４が、印刷ジョブが示す印刷枚数ＮＢＰＪが印刷制限枚数ＰＲＣを超えると判定した時点で、印刷実行部９０２に印刷を停止させて、残りの印刷を行うか否かを表示部に表示させ、ユーザから印刷を行う旨の指示を受けると、残りの枚数の印刷を印刷実行部９０２に実行させ、ユーザから印刷を行わない旨の指示を受けると、残りの枚数の印刷を印刷実行部９０２に実行させない。
これにより、印刷データを受信しながら印刷を実行する場合において、印刷制限枚数ＰＲＣを超える枚数の印刷はユーザの意図に従ってその実行を決定することができ、意図しない多量の枚数の印刷を行うか否かの選択を行うことができ、意図しない多量の枚数の印刷を回避することができ、ひいては意図する枚数の印刷を行うことができる。
【００７２】
本発明は、以上の実施形態に限定されず、種々の態様で実施されてよい。
【００７３】
なお、以上詳細に説明した方法は、上記手順に応じたプログラムとして形成し、ＣＰＵ等のコンピュータで実行するように構成することも可能である。
また、このようなプログラムは、半導体メモリ、磁気ディスク、光ディスク、フロッピー（登録商標）ディスク等の記録媒体、この記録媒体をセットしたコンピュータによりアクセスし上記プログラムを実行するように構成可能である。
【符号の説明】
【００７４】
１・・・印刷ジョブプリントシステム、３・・・ネットワーク、５・・・通信端末（送信側装置）、７・・・管理装置、９・・・プリンタ、９０１・・・受信部、９０２・・・印刷実行部、９０３・・・記録部、９０４・・・判定部、９０５・・・制御部、９０６・・・報知部、９０６Ａ・・・表示部、９０７・・・更新部、９０８・・・印刷枚数係数部、９０９・・・操作部。
【図１】
0006421068.tif 000002
【図２】
0006421068.tif 000003
【図３】
0006421068.tif 000004
【図４】
0006421068.tif 000005
【図５】
0006421068.tif 000006
【図６】
0006421068.tif 000007